(57)【要約】【課題】仕切り板の間に設けられる部材の露出を抑えたデザインを実現するとともに、容易に設置することができる間仕切り装置を提供する。【解決手段】床面（設置面）に設置される配線収容什器（土台部）１と、側端部に上下方向に延びる溝部１５１，１５１がそれぞれ形成され配線収容什器１に立設し、隣り合う側端部どうしを突き合わせて互いの溝部１５１，１５１により連通空部１５４が形成された２枚の仕切り板１４，１４と、配線収容什器１に固定されて配線収容什器１から上方に突出し連通空部１５４に配置された支柱部１０１と、を有する。【選択図】図４
2017218868.tif 000002
【特許請求の範囲】
【請求項１】
設置面に設置される土台部と、
側端部に上下方向に延びる溝部がそれぞれ形成され、前記土台部に立設し、隣り合う側端部どうしを突き合わせて互いの前記溝部により連通空部が形成された複数の仕切り板と、
前記土台部に固定されて該土台部から上方に突出し前記連通空部に配置された支柱部と、を有することを特徴とする間仕切り装置。
【請求項２】
１つの前記土台部に対して複数の前記仕切り板が立設していることを特徴とする請求項１に記載の間仕切り装置。
【請求項３】
前記支柱部に連結されるとともに、複数配置された前記仕切り板の上縁部それぞれに上側から連結される第１連結部材を有することを特徴とする請求項１または２に記載の間仕切り装置。
【請求項４】
前記支柱部に連結されるとともに、複数配置された前記仕切り板の高さ方向の中間部それぞれに前記溝部の内部において連結される第２連結部材を有することを特徴とする請求項１乃至３のいずれか一項に記載の間仕切り装置。
【請求項５】
前記支柱部に連結されるとともに、複数配置された前記仕切り板の下縁部それぞれに下側から連結される第３連結部材を有することを特徴とする請求項１乃至４のいずれか一項に記載の間仕切り装置。
【発明の詳細な説明】
【技術分野】
【０００１】
本発明は、間仕切り装置に関する。
【背景技術】
【０００２】
従来、２枚の仕切り板を互いの側端部を対向させて配列する場合、隣り合う仕切り板それぞれの側端部に形成された溝部に隣り合う仕切り板どうしを連結する部材を設ける間仕切り装置が知られている。
例えば、特許文献１に開示された間仕切り装置では、隣り合う仕切り板のうちの一方の仕切り板の溝部に沿って配置された縦フレームと、縦フレームとともに一方の仕切り板に固定されたクリップと、他方の仕切り板の溝部に配置されてクリップと係合可能な係合ネジとを有している。縦フレームは、隣り合う仕切り板それぞれの溝部に配置される支持辺と、支持辺から突出するフランジと、を有している。
この間仕切り装置は、クリップと係合ネジとが係合されて隣り合う仕切り板が連結されると、隣り合う仕切り板の間にはフランジが配置される隙間が形成され、この隙間からフランジの端面を露出させるデザインとしている。
【先行技術文献】
【特許文献】
【０００３】
【特許文献１】特開２０１６−０６９９１４号公報
【発明の概要】
【発明が解決しようとする課題】
【０００４】
上記の間仕切り装置のように仕切り板の間に設けられる部材を露出させるデザインがある一方で、隣り合う仕切り板の隙間を減らし、仕切り板の間に設けられた仕切り板どうしを連結する連結部材や仕切り板の転倒を防止する転倒防止部材などの露出を抑えたデザインの間仕切り装置も望まれている。
また、上記の間仕切り装置では、一方の仕切り板に縦フレームおよびクリップを固定し、他方の仕切り板に係合ネジを固定してから仕切り板どうしを連結するため、間仕切り装置の設置に手間がかかるという問題がある。
【０００５】
そこで、本発明は、仕切り板の間に設けられる部材の露出を抑えたデザインを実現するとともに、容易に設置することができる間仕切り装置を提供することを目的とする。
【課題を解決するための手段】
【０００６】
上記目的を達成するため、本発明に係る間仕切り装置は、設置面に設置される土台部と、側端部に上下方向に延びる溝部がそれぞれ形成され、前記土台部に立設し、隣り合う側端部どうしを突き合わせて互いの前記溝部により連通空部が形成された複数の仕切り板と、前記土台部に固定されて該土台部から上方に突出し前記連通空部に配置された支柱部と、を有することを特徴とする。
【０００７】
本発明では、土台部に固定された支柱部は、土台部に立設した隣り合う仕切り板の溝部によって形成された連通空部に配置されるため、支柱部の露出を抑えたデザインを実現することができる。特に、複数の仕切り板の側端部どうしを確実に当接させて連通空部を形成すると、支柱部の露出をより抑えたデザインを実現することができる。
また、土台部に固定された支柱部は、連通空部に配置されて隣り合う仕切り板のそれぞれの溝部に嵌合することにより、隣り合う仕切り板それぞれの転倒を防止することができる。
また、本発明では、間仕切り装置を設置するには、連通空部の内部に支柱部が配置されるように土台に支柱部を固定するとともに複数の仕切り板を土台に立設させればよいため、間仕切り装置を容易に設置することができる。
【０００８】
また、本発明に係る間仕切り装置では、１つの前記土台部に対して複数の前記仕切り板が立設している構成としてもよい。
このような構成とすることにより、１つの土台部に対して複数の仕切り板を配置することができるため、仕切り板それぞれに対して土台部を設ける場合と比べて、間仕切り装置を容易に設置することができる。
【０００９】
また、本発明に係る間仕切り装置では、前記支柱部に連結されるとともに、複数配置された前記仕切り板の上縁部それぞれに上側から連結される第１連結部材を有する構成としてもよい。
このような構成とすることにより、第１連結部材を介して複数の仕切り板の上端部どうしが連結されるため、複数の仕切り板を連結することができる。また、第１連結部材は、複数の仕切り板に上側から連結されるため、第１連結部材を仕切り板に連結する際の施工スペースを確保しやすく容易に施工することができる。
【００１０】
また、本発明に係る間仕切り装置では、前記支柱部に連結されるとともに、複数配置された前記仕切り板の高さ方向の中間部それぞれに前記溝部の内部において連結される第２連結部材を有する構成としてもよい。
このような構成とすることにより、第２連結部材を介して仕切り板の高さ方向の中間部どうしが連結されるため、複数の仕切り板を連結することができる。また、第２連結部材が溝部の内部に配置されるため、第２連結部材の露出を抑えることができる。
【００１１】
また、本発明に係る間仕切り装置では、前記支柱部に連結されるとともに、複数配置された前記仕切り板の下縁部それぞれに下側から連結される第３連結部材を有する構成としてもよい。
このような構成とすることにより、第３連結部材を介して仕切り板の下縁部どうしが連結されるため、複数の仕切り板を連結することができる。また、第３連結部材は、複数の仕切り板の下縁部に下側から連結されるため、露出を抑えることができる。
【発明の効果】
【００１２】
本発明によれば、仕切り板の間に設けられる部材の露出を抑えたデザインを実現するとともに、容易に設置することができる。
【図面の簡単な説明】
【００１３】
【図１】本発明の第１実施形態による間仕切り装置の一例を示す斜視図である。
【図２】配線収容什器をＸ方向から見た図である。
【図３】連結部材で連結された第１メインフレームおよび第２メインフレームを説明する図である。
【図４】隣り合う第１仕切り板および第２仕切り板それぞれの溝部に配置された支柱部を説明する図である。
【図５】上縁部連結部材を説明する図である。
【図６】第２実施形態による間仕切り装置を説明する図である。
【図７】第３実施形態による間仕切り装置を説明する図である。
【図８】第４実施形態による間仕切り装置を説明する水平断面図である。
【図９】図９の支柱部の一部を示す斜視図である。
【図１０】第５実施形態による間仕切り装置を説明する水平断面図である。
【図１１】図１１の支柱部の一部を示す斜視図である。
【発明を実施するための形態】
【００１４】
（第１実施形態）
以下、本発明の第１実施形態による間仕切り装置について、図１乃至図５に基づいて説明する。
図１に示すように、第１実施形態による間仕切り装置１０Ａは、床面に第１方向（Ｘ方向とする）に直列に並んで配列された３つの配線収容什器（土台部）１，１，１と、３つの配線収容什器１，１，１からそれぞれ立設しＸ方向に配列された複数の仕切り板１４，１４…と、配線収容什器１に固定されるとともに配線収容什器１よりも上方に延びてＸ方向に隣り合う仕切り板１４，１４の間に配置される支柱部１０１と、を有している。
【００１５】
３つの配線収容什器１，１，１のうちのＸ方向一方側の端部に配置された配線収容什器１のＸ方向に直交する第２水平方向（Ｙ方向とする）の一方側に棚１２が隣接して設けられていて、配列の中央部に配置された配線収容什器１のＹ方向一方側に机１３が隣接して設けられている。
３つの配線収容什器１，１，１は、配置位置が異なる点を除いて、互いに同一の形状を有している。以下では１つの配線収容什器１について説明し、他の配線収容什器１，１は、説明した配線収容什器１と同様の形態であるものとする。
【００１６】
配線収容什器１は、Ｘ方向に延在する長尺に形成されている。図２に示すように、配線収容什器１は、床面１１に設置されるベース部材２と、ベース部材２に支持されたメインフレーム３と、メインフレーム３のＹ方向一方側に設けられた第１配線収容部４Ａと、メインフレーム３のＹ方向の他方側に設けられた第２配線収容部４Ｂと、メインフレーム３の上側に設けられて仕切り板１４を支持可能な仕切り板支持部材８と、を有している。
【００１７】
ベース部材２は、Ｙ方向に延在し床面１１と当接する床面当接部２１と、床面当接部２１から立設しメインフレーム３と連結されるメインフレーム連結部２２と、を有している。本実施形態では、床面当接部２１に高さの微調整を可能なアジャスタが設けられていて、ベース部材２に支持されたメインフレーム３の高さや水平を調整できるように構成されている。
【００１８】
図２および図３に示すように、メインフレーム３は、Ｙ方向から見てＸ方向に長いロの字形状に形成され、内部にＹ方向に貫通する開口部３１が形成されている。開口部３１は、第１配線収容部４Ａと第２配線収容部４Ｂとを連通させている。
メインフレーム３は、開口部３１の上側に配置されＸ方向に延在する上枠３２と、開口部３１の下側に配置されＸ方向に延在する下枠３３と、開口部３１のＸ方向の両側に配置され上下方向に延在する一対の縦枠３４，３４と、を有している。一対の縦枠３４，３４の一方は、上枠３２および下枠３３それぞれのＸ方向一方側の端部と連結され、他方は上枠３２および下枠３３それぞれのＸ方向の他方側の端部と連結されている。
【００１９】
Ｘ方向に隣り合うメインフレーム３，３は、メインフレーム連結部材１００で連結されている。メインフレーム連結部材１００で連結されたメインフレーム３，３のうちＸ方向一方側のメインフレーム３を第１メインフレーム３とし、Ｘ方向他方側のメインフレーム３を第２メインフレーム３Ｂとする。第１メインフレーム３Ａと第２メインフレーム３Ｂとは、Ｘ方向に隣り合う第１メインフレーム３Ａの第１縦枠３４Ａと、第２メインフレーム３Ｂの第２縦枠３４Ｂとが連結されている。
【００２０】
図１および図２に示すように、第１配線収容部４Ａは、上部に配置される上面パネル４１と、上面パネル４１と接続されＹ方向一方側に配置される側面パネル４２と、を有している。上面パネル４１および側面パネル４２は一体に形成され、メインフレーム３に着脱可能に構成されている。
第２配線収容部４Ｂは、上部に配置される上面パネル４１と、上面パネル４１と接続されＹ方向他方側に配置される側面パネル４２と、を有している。上面パネル４１および側面パネル４２は一体に形成され、メインフレーム３に着脱可能に構成されている。
【００２１】
仕切り板支持部材８は、鋼板や樹脂製の板材などで形成された長尺の部材で、メインフレーム３の上縁部に沿ってＸ方向に延在する向きでメインフレーム３の上縁部に固定されている。仕切り板支持部材８には、上方に開口しＸ方向に延びる仕切り板支持用溝部８１が形成されている。仕切り板支持用溝部８１は、仕切り板１４を固定可能なされる仕切り板固定部材８２を内部に配置可能に構成されている。
【００２２】
図１および図４に示すように、仕切り板１４は、パネル基材１４１と、パネル基材１４１の両面に沿って設けられたクッション材１４２と、パネル基材１４１およびクッション材１４２を覆う表皮材１４３と、クッション材１４２および表皮材１４３をパネル基材１４１に固定する固定部材１４４と、を備えている。
【００２３】
パネル基材１４１は、所定の強度を有する平板状の芯材１４１ａと、芯材１４１ａの外周部に沿って設けられたフレーム１５と、を備えている。
芯材１４１ａは、板面が長方形に形成されている。
フレーム１５は、芯材１４１ａの外周部に沿って設けられると芯材１４１ａ側に窪んで外側に開口する溝部１５１が全周にわたって形成されている。
【００２４】
クッション材１４２は、パネル基材１４１の表面に沿って芯材１４１ａの全体を覆うように設けられている。また、クッション材１４２は、その外周端部が、フレーム１５の溝部１５１の側壁部１５２を覆うように設けられている。つまり、クッション材１４２は、芯材１４１ａおよびフレーム１５を覆うように設けられている。
このクッション材１４２は、柔軟性および弾性を有した材料、例えば発泡ウレタン材等から形成されている。
【００２５】
表皮材１４３は、クッション材１４２の全体を覆うよう設けられている。
クッション材１４２および表皮材１４３は、パネル基材１４１よりも大きな外形寸法を有している。そして、クッション材１４２および表皮材１４３は、その外周端部が、パネル基材１４１の外周縁部、つまりフレーム１５の溝部１５１の側壁部１５２を回り込んで、溝部１５１の内側に巻き込まれている。このクッション材１４２および表皮材１４３の外周端部が、フレーム１５の溝部１５１の側壁部１５２を回り込む部分で、クッション材１４２が表皮材１４３によって圧縮される。これにより、仕切り板１４は、外周端部に向かうにしたがって、その厚みが漸次小さくするように形成されている。また、仕切り板１４は、外周端部においてクッション材１４２および表皮材１４３がフレーム１５の溝部１５１の側壁部１５２を回り込む部分で、丸く円弧状に形成されている。
【００２６】
固定部材１４４は、溝部１５１に嵌め込まれている。固定部材１４４は、溝部１５１の内側に巻き込まれたクッション材１４２および表皮材１４３の外周端部を、溝部１５１の内周面と固定部材１４４の外周面との間に挟み込んでいる。これにより、クッション材１４２および表皮材１４３の外周端部をフレーム１５の溝部１５１の側壁部１５２に固定している。
このような仕切り板１４は、図２に示すように、仕切り板支持部材８の仕切り板支持用溝部８１に設けられた仕切り板固定部材８２に固定され配線収容什器１の上部に立設している。
【００２７】
図３に示すように、支柱部１０１は、Ｘ方向に隣り合う第１メインフレーム３Ａの第１縦枠３４Ａと第２メインフレーム３Ｂの第２縦枠３４Ｂとを連結するメインフレーム連結部材１００に設けられている。支柱部１０１は、メインフレーム連結部材１００が第１縦枠３４Ａおよび第２縦枠３４Ｂに固定され、第１縦枠３４Ａと第２縦枠３４Ｂとを連結することにより、Ｘ方向に隣り合う配線収容什器１，１に固定される。
メインフレーム連結部材１００は、第１縦枠３４Ａと第２縦枠３４Ｂとの間に上下方向に延在するように配置される支柱部１０１と、支柱部１０１に接続された棒状体接続プレート１０２と、棒状体接続プレート１０２と接続されて第１縦枠３４Ａおよび第２縦枠３４Ｂに接続される縦枠接続プレート１０３と、を有している。
【００２８】
支柱部１０１は、鋼製の筒状の部材で、下端部が第１縦枠３４Ａおよび第２縦枠３４Ｂの下端部よりもやや上側に配置され、上端部が第１縦枠３４Ａおよび第２縦枠３４Ｂの上端部よりも上方に突出している。支柱部１０１のうちの第１縦枠３４Ａおよび第２縦枠３４Ｂの上端部よりも上方の部分は、隣り合う配線収容什器１，１の上部の仕切り板１４，１４の間に配置され、さらに上側の部分はこれらの仕切り板１４，１４の上縁部よりも上方に突出している。本実施形態では、図１に示すように、支柱部１０１は、上端部に照明器具１６が設けられ、内部に照明器具１６のケーブルを挿通され、照明器具１６を支持する機能と照明器具１６のケーブルを挿通させる機能とを有する機能部として使用される。
【００２９】
図３に戻り、棒状体接続プレート１０２は、支柱部１０１が挿通される孔部１０２ａが形成された鋼板で、板面が上下方向を向く向きで第１縦枠３４Ａと第２縦枠３４Ｂとの間に配置される。支柱部１０１と棒状体接続プレート１０２とは、支柱部１０１が棒状体接続プレート１０２の孔部１０２ａを挿通した状態で溶接されている。
本実施形態では、棒状体接続プレート１０２は、板面が正方形状に形成され、中央部に孔部１０２ａが形成されている。本実施形態では、上下に配置された２枚の棒状体接続プレート１０２，１０２に対して、Ｙ方向の両側それぞれに縦枠接続プレート１０３が接続されている。
【００３０】
縦枠接続プレート１０３は、板面がＹ方向を向く向きに配置される。縦枠接続プレート１０３は、２枚の棒状体接続プレート１０２，１０２それぞれに溶接されている。縦枠接続プレート１０３は、棒状体接続プレート１０２，１０２よりもＸ方向の大きさが大きく形成され、棒状体接続プレート１０２のＸ方向の両側それぞれに突出している。
【００３１】
２枚の棒状体接続プレート１０２，１０２のＹ方向一方側に溶接された縦枠接続プレート１０３は、第１縦枠３４Ａおよび第２縦枠３４ＢよりもＹ方向一方側に配置されている。この縦枠接続プレート１０３の２枚の棒状体接続プレート１０２，１０２よりもＸ方向一方側に突出する部分は、第１縦枠３４ＡのＹ方向一方側の面と当接し、第１縦枠３４Ａにボルトなどの固定具１０４で固定されている。一方、この縦枠接続プレート１０３の２枚の棒状体接続プレート１０２，１０２よりもＸ方向の他方側に突出する部分は、第２縦枠３４ＢのＹ方向一方側の面と当接し、第２縦枠３４Ｂにボルトなどの固定具１０４で固定されている。
【００３２】
棒状体接続プレート１０２，１０２のＹ方向他方側に溶接された縦枠接続プレート１０３は、第１縦枠３４Ａおよび第２縦枠３４ＢよりもＹ方向の他方側に配置されている。この縦枠接続プレート１０３の２枚の棒状体接続プレート１０２，１０２よりもＸ方向一方側に突出する部分は、第１縦枠３４ＡのＹ方向他方側の面と当接し、第１縦枠３４Ａにボルトなどの固定具１０４で固定されている。一方、この縦枠接続プレート１０３の２枚の棒状体接続プレート１０２，１０２よりもＸ方向の他方側に突出する部分は、第２縦枠３４ＢのＹ方向他方側の面と当接し、第２縦枠３４Ｂにボルトなどの固定具１０４で固定されている。
ここで、縦枠接続プレート１０３のうちの第１縦枠３４Ａに接続される部分を第１接続部１０５とし、第２縦枠３４Ｂに接続される部分を第２接続部１０６とする。
【００３３】
これらの２枚の棒状体接続プレート１０２，１０２、および２枚の縦枠接続プレート１０３，１０３を連結部１０７とすると、本実施形態では、１つの支柱部１０１に対して２つの連結部１０７，１０７が上下方向に間隔をあけて設けられている。２つの連結部１０７，１０７のうちの下側に配置された連結部１０７Ａは、支柱部１０１の下端部近傍に設けられていて、第１縦枠３４Ａおよび第２縦枠３４Ｂの下部側に接続されている。２つの連結部１０７，１０７のうちの上側に配置された連結部１０７Ｂは、支柱部１０１の下端部よりもやや上側に設けられていて、第１縦枠３４Ａおよび第２縦枠３４Ｂの上部側に接続されている。
【００３４】
メインフレーム連結部材１００を用いて第１メインフレーム３Ａと第２メインフレーム３Ｂとを連結する方法について説明する。
第１メインフレーム３Ａの第１縦枠３４Ａと第２メインフレーム３Ｂの第２縦枠３４Ｂとの間にメインフレーム連結部材１００を配置する。このとき、第１縦枠３４Ａと第２縦枠３４Ｂとの間に支柱部１０１および２つの棒状体接続プレート１０２，１０２を配置し、２つの縦枠接続プレート１０３，１０３それぞれの第１接続部１０５，１０５の間に第１縦枠３４Ａを配置し、２つの縦枠接続プレート１０３，１０３それぞれの第２接続部１０６，１０５の間に第２縦枠３４Ｂと配置する。
第１接続部１０５，１０５をそれぞれ固定具１０４で第１縦枠３４Ａに固定し、第２接続部１０６，１０６をそれぞれ固定具１０４で第２縦枠３４Ｂに固定する。
このようにして第１縦枠３４Ａと第２縦枠３４Ｂとがメインフレーム連結部材１００を介して連結され、第１メインフレーム３Ａと第２メインフレーム３Ｂとが連結される。このとき、支柱部１０１の上端部は、仕切り板１４，１４よりも上方に突出している。
【００３５】
図４に示すように、Ｘ方向に隣り合い支柱部１０１のＸ方向一方側に配置された仕切り板１４と支柱部１０１のＸ方向他方側に配置された仕切り板１４は、互いに対向する端部それぞれに形成された溝部１５１，１５１の中に支柱部１０１が配置されている。Ｘ方向に隣り合う仕切り板１４，１４のうち、Ｘ方向一方側の仕切り板１４を第１仕切り板１４Ａとし、Ｘ方向他方側の仕切り板１４を第２仕切り板１４Ｂとする。第１仕切り板１４Ａに形成された溝部１５１を第１溝部１５１Ａとし、第２仕切り板１４Ｂに形成された溝部１５１を第２溝部１５１Ｂとする。
第１仕切り板１４Ａと第２仕切り板１４ＢとがＸ方向に配列された際に、第１溝部１５１Ａの内部と第２溝部１５１Ｂの内部とが連通し上下方向に貫通する空間を連通空部１５４とする。
【００３６】
支柱部１０１は、連通空部１５４の内部に配置され、第１仕切り板１４Ａと第２仕切り板１４Ｂとが位置ずれしたり倒れたりすることを防止している。本実施形態では、支柱部１０１は、連通空部１５４の内部に配置される第１仕切り板１４Ａおよび第２仕切り板１４Ｂの外部に露出しないように構成されている。
支柱部１０１の上端部は、第１仕切り板１４Ａおよび第２仕切り板１４Ｂの上縁部よりも上側配置され、支柱部１０１の上端部に設けられた照明器具１６は、第１仕切り板１４Ａおよび第２仕切り板１４Ｂよりも上側に配置されている。
【００３７】
また、１つの配線収容什器に配列された２枚の仕切り板１４，１４の間の連通空部１５４にも同様に支柱部１０１が設けられている。この場合、支柱部１０１は、配線収容什器１の仕切り板支持部材８に固定されるとともに仕切り板支持部材８の上方に突出するように設けられている。図１では、１つの配線収容什器に配列された２枚の仕切り板１４，１４の間の連通空部１５４にも支柱部１０１の上端部は仕切り板１４，１４の上縁部と同じ高さに配置されている。
【００３８】
また、図５に示すように本実施形態では、支柱部１０１の上部側に第１仕切り板１４Ａの上縁部および第２仕切り板１４Ｂの上縁部のそれぞれに上側から固定され、第１仕切り板１４Ａと第２仕切り板１４Ｂとを連結する上縁部連結部材（第１連結部材）２００が設けられている。
第１仕切り板１４Ａの上縁部に形成された溝部１５１には、後述する第１固定具２０４が螺合可能な孔部１５３が形成され、第２仕切り板１４Ｂの上縁部に形成された溝部１５１には、後述する第２固定具２０７が螺合可能な孔部１５３が形成されている。
【００３９】
上縁部連結部材２００は、支柱部１０１から第１仕切り板１４Ａ側（Ｘ方向一方側）に突出する第１突出部２０２と、第１突出部２０２を第１仕切り板１４Ａの上縁部に固定する第１押さえ板２０３および第１固定具２０４と、支柱部１０１から第２仕切り板１４Ｂ側（Ｘ方向他方側）に突出する第２突出部２０５と、第２突出部２０５を第２仕切り板１４Ｂの上縁部に固定する第２押さえ部２０６および第２固定具２０７と、を有している。
第１突出部２０２、第１押さえ板２０３および第１固定具２０４が第１接続部２０８に相当し、第２突出部２０５、第２押さえ部２０６および第２固定具２０７が第２接続部２０９に相当している。
【００４０】
第１突出部２０２は、支柱部１０１からＸ方向一方側に延びる第１水平部２０２ａと、第１水平部２０２ａのＸ方向一方側の端部に接続されＸ方向一方側に向かって漸次上側に向かう方向に傾斜して延びる傾斜部２０２ｂと、傾斜部２０２ｂのＸ方向一方側の端部に接続されＸ方向一方側に延びる第２水平部２０２ｃと、を有している。第１突出部２０２は、第１水平部２０２ａのＸ方向他方側の端部が支柱部１０１に溶接されている。
第１突出部２０２は、延在方向に直交する断面形状が上側に開口するＵ字状に形成され、第１水平部２０２ａ、傾斜部２０２ｂおよび第２水平部２０２ｃ全体にそれぞれ延在方向に沿って下側に窪み上側に開口する溝部２０２ｄが形成されている。
第２水平部２０２ｃには、第１固定具２０４が挿通される孔部２０２ｅが形成されている。
【００４１】
第１押さえ板２０３は、第１突出部２０２の溝部２０２ｄの内部に配置可能に構成されている。第１押さえ板２０３は、溝部２０２ｄに配置されると、第１水平部２０２ａの溝部２０２ｄに配置される平板状の第１水平板部２０３ａと、第１水平板部２０３ａのＸ方向一方側の端部と接続され傾斜部２０２ｂの溝部２０２ｄに配置される平板状の傾斜板部２０３ｂと、傾斜板部２０３ｂのＸ方向一方側の端部と接続され第２水平部２０２ｃの溝部２０２ｄ配置される平板状の第２水平板部２０３ｃと、を有している。
第２水平板部２０３ｃには、第１固定具２０４が挿通される孔部２０３ｅが形成されている。
【００４２】
第２突出部２０５は、支柱部１０１からＸ方向他方側に延びる第１水平部２０５ａと、第１水平部２０５ａのＸ方向他方側の端部に接続されＸ方向一方側に向かって漸次上側に向かう方向に傾斜して延びる傾斜部２０５ｂと、傾斜部２０５ｂのＸ方向他方側の端部に接続されＸ方向の他方側に延びる第２水平部２０５ｃと、を有している。第２突出部２０５は、第１水平部２０５ａのＸ方向一方側の端部が支柱部１０１に溶接されている。
第２突出部２０５は、延在方向に直交する断面形状が上側に開口するＵ字状に形成され、第１水平部２０５ａ、傾斜部２０５ｂおよび第２水平部２０５ｃ全体にそれぞれ延在方向に沿って下側に窪み上側に開口する溝部２０５ｄが形成されている。
第２水平部２０５ｃには、第２固定具２０７が挿通される孔部２０５ｅが形成されている。
【００４３】
第２押さえ部２０６は、第２突出部２０５の溝部２０５ｄの内部に配置可能に構成されている。第２押さえ部２０６は、溝部２０５ｄに配置されると、第１水平部２０５ａの溝部２０５ｄに配置される平板状の第１水平板部２０６ａと、第１水平板部２０６ａのＸ方向他方側の端部と接続され傾斜部２０５ｂの溝部２０５ｄに配置される平板状の傾斜板部２０６ｂと、傾斜板部２０６ｂのＸ方向一方側の端部と接続され第２水平部２０５ｃの溝部２０５ｄ配置される平板状の第２水平板部２０６ｃと、を有している。
第２水平板部２０６ｃには、第２固定具２０７が挿通される孔部２０６ｅが形成されている。
【００４４】
このような上縁部連結部材２００で第１仕切り板１４Ａと第２仕切り板１４Ｂとを連結するには、まず、支柱部１０１が第１仕切り板１４Ａと第２仕切り板１４Ｂとの間に配置された際に、第１突出部２０２を第１仕切り板１４ＡのＸ方向他方側の端部近傍の上縁部に形成された溝部１５１に配置し、第２突出部２０５を第２仕切り板１４ＢのＸ方向一方側の端部近傍の上縁部に形成された溝部１５１に配置する。
続いて、第１突出部２０２の溝部２０２ｄに第１押さえ板２０３を配置する。第１固定具２０４を第１押さえ板２０３の孔部２０３ｅおよび第１突出部２０２の孔部２０２ｅに挿通し、第１固定具２０４を第１仕切り板１４Ａの孔部１５３に螺合させ、第１突出部２０２を第１仕切り板１４Ａに固定する。
第２突出部２０５の溝部２０５ｄに第２押さえ部２０６を配置する。第２固定具２０７を第２押さえ部２０６の孔部２０６ｅおよび第２突出部２０５の孔部２０５ｅに挿通し、第２固定具２０７を第２仕切り板１４Ｂの孔部１５３に螺合させ、第２突出部２０５を第２仕切り板１４Ｂに固定する。
【００４５】
このように第１突出部２０２が第１仕切り板１４Ａに固定され、第２突出部２０５が第２仕切り板１４Ｂに固定されると、第１仕切り板１４Ａと第２仕切り板１４Ｂとが上縁部連結部材２００を介して連結される。
【００４６】
次に、上述した第１実施形態による間仕切り装置１０Ａの作用・効果について図面を用いて説明する。
【００４７】
第１実施形態による間仕切り装置１０Ａでは、支柱部１０１が連通空部１５４の内部に配置されることにより、支柱部１０１の露出を抑えたデザインを実現することができる。特に、第１仕切り板１４Ａの側端部と第２仕切り板１４Ｂの側端部どうしを当接させて連通空部１５４を形成すると、より支柱部１０１の露出を抑えたデザインを実現することができる。
また、第１実施形態による間仕切り装置１０Ａを設置するには、第１縦枠３４Ａおよび第２縦枠３４Ｂをメインフレーム連結部材１００で連結して支柱部１０１を配線収容什器１，１に固定して上方に突出させ、第１仕切り板１４Ａおよび第２仕切り板１４Ｂの間の連通空部１５４の内部に支柱部１０１が配置されるように、第１仕切り板１４Ａおよび第２仕切り板１４Ｂを配線収容什器１，１に立設させればよいため、間仕切り装置１０Ａを容易に設置することができる。
また、配線収容什器１に固定された支柱部１０１が第１溝部１５１Ａおよび第２溝部１５１Ｂと嵌合することにより、第１仕切り板１４Ａおよび第２仕切り板１４Ｂの転倒を防止することができる。
【００４８】
また、１つの配線収容什器１に対して２つの仕切り板１４，１４が立設していることにより、仕切り板１４，１４…それぞれに対して個別に配線収容什器１を設ける場合と比べて、間仕切り装置１０Ａを容易に設置することができる。
【００４９】
また、支柱部１０１には上縁部連結部材２００が設けられていることにより、Ｘ方向に隣り合う仕切り板１４，１４の上縁部どうしが連結されるため、Ｘ方向に隣り合う仕切り板１４，１４どうしを連結することができる。また、上縁部連結部材２００は、仕切り板１４，１４に上側から連結されるため、上縁部連結部材２００を仕切り板１４，１４に連結する際の施工スペースを確保しやすく上縁部連結部材２００を仕切り板１４，１４に容易に施工することができる。
【００５０】
（第２実施形態）
次に、他の実施形態について、添付図面に基づいて説明するが、上述の第１実施形態と同一又は同様な部材、部分には同一の符号を用いて説明を省略し、実施形態と異なる構成について説明する。
図６に示すように、第２実施形態による間仕切り装置１０Ｂは、支柱部１０１の上端部は、第１仕切り板１４Ａおよび第２仕切り板１４Ｂの上縁部と略同じ高さに配置され、支柱部１０１に図５に示す第１実施形態のような照明器具１６が設けられていないとともに、第１実施形態による上縁部連結部材２００とは異なる上縁部連結部材３００が支柱部１０１の上端部に設けられている。
上縁部連結部材３００は、支柱部１０１の上端部に連結される支柱部連結部３０１と、支柱部連結部３０１から第１仕切り板１４Ａ側（Ｘ方向一方側）に突出する第１突出部３０２と、第１突出部３０２を第１仕切り板１４Ａの上縁部に固定する第１固定具３０３と、支柱部連結部３０１から第２仕切り板１４Ｂ側（Ｘ方向他方側）に突出する第２突出部３０４と、第２突出部３０４を第２仕切り板１４Ｂの上縁部に固定する第２固定具３０５と、を有している。第１突出部３０２には、第１固定具３０３が挿通可能な上下方向に貫通する孔部３０２ａが形成され、第２突出部３０４には、第２固定具３０５が挿通可能な上下方向に貫通する孔部３０４ａが形成されている。
【００５１】
このような上縁部連結部材３００で第１仕切り板１４Ａと第２仕切り板１４Ｂとを連結するには、まず、支柱部１０１が第１仕切り板１４Ａと第２仕切り板１４Ｂとの間に配置された際に、第１突出部３０２を第１仕切り板１４ＡのＸ方向他方側の端部近傍の上縁部に形成された溝部１５１に配置し、第２突出部３０４を第２仕切り板１４ＢのＸ方向一方側の端部近傍の上縁部に形成された溝部１５１に配置する。
続いて、第１固定具３０３を第１突出部３０２の孔部３０２ａに挿通し、第１固定具３０３を第１仕切り板１４Ａの孔部１５３に螺合させ、第１突出部３０２を第１仕切り板１４Ａに固定する。第２固定具３０５を第２突出部３０４の孔部３０４ａに挿通し、第２固定具３０５を第２仕切り板１４Ｂの孔部１５３に螺合させ、第２突出部３０４を第２仕切り板１４Ｂに固定する。
【００５２】
このように第１突出部３０２が第１仕切り板１４Ａに固定され、第２突出部３０４が第２仕切り板１４Ｂに固定されると、第１仕切り板１４Ａと第２仕切り板１４Ｂとが上縁部連結部材３００を介して連結される。
【００５３】
第２実施形態による間仕切り装置１０Ｂでは、第１実施形態と同様の効果を奏するとともに、上縁部連結部材３００を第１実施形態による上縁部連結部材２００よりも簡易な構造とすることができる。
【００５４】
（第３実施形態）
図７に示すように第３実施形態による間仕切り装置１０Ｃは、支柱部１０１の下端部に土台部に固定されるとともに第１仕切り板１４Ａおよび第２仕切り板１４Ｂの下縁部に下側から固定される下縁部連結部材（第３連結部材）４００が設けられている。
下縁部連結部材４００は、支柱部１０１の下端部に連結される支柱部連結部４０１と、支柱部連結部４０１から第１仕切り板１４Ａ側（Ｘ方向一方側）に突出する第１突出部４０２と、第１突出部４０２と連結し第１仕切り板１４Ａの下縁部と固定される第１固定具４０３と、支柱部連結部４０１から第２仕切り板１４Ｂ側（Ｘ方向他方側）に突出する第２突出部４０４と、第２突出部４０４と連結し第２仕切り板１４Ｂの下縁部と固定される第２固定具４０５と、を有している。
【００５５】
このような下縁部連結部材４００で第１仕切り板１４Ａと第２仕切り板１４Ｂとを連結するには、まず、支柱部１０１が第１仕切り板１４Ａと第２仕切り板１４Ｂとの間に配置された際に、第１突出部４０２を第１仕切り板１４ＡのＸ方向他方側の端部近傍の下縁部に形成された溝部１５１に配置し、第２突出部４０４を第２仕切り板１４ＢのＸ方向一方側の端部近傍の下縁部に形成された溝部１５１に配置する。
続いて、第１固定具４０３を第１仕切り板１４Ａの孔部１５３に螺合させ、第１突出部２０２を第１仕切り板１４Ａに固定する。第２固定具４０５を第２仕切り板１４Ｂの孔部１５３に螺合させ、第２突出部４０４を第２仕切り板１４Ｂに固定する。
【００５６】
このように第１突出部４０２が第１仕切り板１４Ａに固定され、第２突出部４０４が第２仕切り板１４Ｂに固定されると、第１仕切り板１４Ａと第２仕切り板１４Ｂとが下縁部連結部材４００を介して連結される。
【００５７】
第３実施形態による間仕切り装置１０Ｃでは、支柱部１０１に下縁部連結部材４００が設けられていることにより、Ｘ方向に隣り合う仕切り板１４，１４の下縁部どうしが連結されるため、Ｘ方向に隣り合う仕切り板１４，１４どうしを連結することができる。また、下縁部連結部材４００は、第１仕切り板１４Ａおよび第２仕切り板１４Ｂの下縁部に下側から連結されるため、露出を抑えることができる。
【００５８】
（第４実施形態）
図８に示すように第４実施形態による間仕切り装置１０Ｄは、第１仕切り板１４Ａと第２仕切り板１４Ｂとを連結する溝部内連結部材（第２連結部材）５００が設けられている。
溝部内連結部材５００は、支柱部１０１から第１仕切り板１４Ａ側に突出する第１係合凸部５１０と、支柱部１０１から第２仕切り板１４Ｂ側に突出する第２係合凸部５２０と、第１仕切り板１４Ａの第１溝部１５１Ａの内部に形成され第１係合凸部が係合可能な第１係合凹部５３０と、第２仕切り板１４Ｂの溝部の内部に形成され第２係合凸部が係合可能な第２係合凹部５４０と、を有している。
【００５９】
図９に示すように、第１係合凸部５１０は、支柱部１０１からＸ方向一方側（第１仕切り板１４Ａ側）に突出する基部５１１と、基部５１１からＹ方向一方側に突出する爪部５１２とを有し、水平断面形状が略Ｌ字形状となるように形成されている。第１係合凸部５１０は、第１仕切り板１４Ａの高さ方向の中間部において第１溝部１５１Ａの内部に配置される。
【００６０】
第２係合凸部５２０は、支柱部１０１からＸ方向他方側（第２仕切り板１４Ｂ側）に突出する基部５２１と、基部５２１からＹ方向他方側に突出する爪部５２２とを有し、水平断面形状が略Ｌ字形状となるように形成されている。第２係合凸部５２０は、第２仕切り板１４Ｂの高さ方向の中間部において第２溝部１５１Ｂの内部に配置される。
【００６１】
第１係合凹部５３０は、第１仕切り板１４Ａの第１溝部１５１Ａに設けられて、第１仕切り板１４Ａのクッション材１４２および表皮材１４３を第１溝部１５１Ａに固定するための固定部材１４４に形成されている。
固定部材１４４は、第１溝部１５１Ａの側壁部１５２に沿って設けられる一対の側壁部１４４ａ，１４４ａと一対の側壁部１４４ａ，１４４ａを連結する連結部１４４ｂと、連結部１４４ｂよりもＸ方向他方側において一対の側壁部１４４ａ，１４４ａからそれぞれ近接する方向に突出する一対の突出片１４４ｃ，１４４ｃと、を有している。一対の突出片１４４ｃ，１４４ｃの先端部の間には、第１係合凸部５１０の基部５１１のＹ方向の寸法と略同じ寸法の間隔１４４ｄが設けられている。一対の側壁部１４４ａ，１４４ａと連結部１４４ｂに囲まれている空間のうちの一対の突出片１４４ｃ，１４４ｃよりも連結部１４４ｂ側に第１係合凹部５３０が形成されている。
【００６２】
第２係合凹部５４０は、第２仕切り板１４Ｂの第２溝部１５１Ｂに設けられて、第２仕切り板１４Ｂのクッション材１４２および表皮材１４３を第２溝部１５１Ｂに固定するための固定部材１４４に形成されている。
固定部材１４４は、第２溝部１５１Ｂの側壁部１５２に沿って設けられる一対の側壁部１４４ａ，１４４ａと一対の側壁部１４４ａ，１４４ａを連結する連結部１４４ｂと、連結部１４４ｂよりもＸ方向他方側において一対の側壁部１４４ａ，１４４ａからそれぞれ近接する方向に突出する一対の突出片１４４ｃ，１４４ｃと、を有している。一対の突出片１４４ｃ，１４４ｃの先端部の間には、第２係合凸部５２０の基部５２１のＹ方向の寸法と略同じ寸法の間隔１４４ｄが設けられている。一対の側壁部１４４ａ，１４４ａと連結部１４４ｂに囲まれている空間のうちの一対の突出片１４４ｃ，１４４ｃよりも連結部１４４ｂ側に第２係合凹部５４０が形成されている。
【００６３】
第１係合凸部５１０の爪部５１２および固定部材１４４の一対の突出片１４４ｃ，１４４ｃは、少なくとも一方が弾性変形可能に構成されていて、第１係合凸部５１０を第１係合凹部５３０に挿入すると、第１係合凸部５１０の爪部５１２が一対の突出片１４４ｃ，１４４ｃの間隔を通って第１係合凹部５３０に配置されるように構成されている。第１係合凸部５１０の爪部５１２が第１係合凹部５３０に入り込むことにより、第１係合凸部５１０が固定部材１４４を介して第１仕切り板１４Ａと連結される。
【００６４】
第２係合凸部５２０の爪部５２２および固定部材１４４の一対の突出片１４４ｃ，１４４ｃは、少なくとも一方が弾性変形可能に構成されていて、第２係合凸部５２０を第２係合凹部５４０に挿入すると、第２係合凸部５２０の爪部５２２が一対の突出片１４４ｃ，１４４ｃの間隔を通って第２係合凹部５４０に配置されるように構成されている。第２係合凸部５２０の爪部５２２が第２係合凹部５４０に入り込むことにより、第２係合凸部５２０が固定部材１４４を介して第２仕切り板１４Ｂと連結される。
【００６５】
本実施形態では、第１係合凸部５１０が第１係合凹部５３０に配置され、第２係合凸部５２０が第２係合凹部５４０に配置されると、第１仕切り板１４Ａの側端部と第２仕切り板１４Ｂの側端部とが当接するとともに、支柱部１０１が連通空部１５４に配置される。
【００６６】
第４実施形態による間仕切り装置１０Ｄによれば、溝部内連結部材５００によって第１仕切り板１４Ａと第２仕切り板１４Ｂとを容易に連結することができる。溝部内連結部材５００の第１係合凸部、第２係合凸部および支柱部１０１は、それぞれ隣り合う仕切り板１４Ａ，１４Ｂの連通空部１５４に配置されるため、溝部内連結部材５００の第１係合凸部、第２係合凸部および支柱部１０１が第１仕切り板１４Ａおよび第２仕切り板１４Ｂの外部に露出することを抑えることができる。
【００６７】
（第５実施形態）
図１０に示すように第５実施形態による間仕切り装置１０Ｅは、溝部内連結部材６００が、第４実施形態による溝部内連結部材５００の断面形状が略Ｌ字形状の第１係合凸部５１０に代わって、断面形状が略Ｔ字形状の第１係合凸部６１０を有し、第４実施形態による溝部内連結部材５００断面形状が略Ｌ字形状の第２係合凸部５２０に代わって、断面形状が略Ｔ字形状の第２係合凸部６２０を有している。
図１０および図１１に示すように、第１係合凸部６１０には、基部６１１の先端部にＹ方向の両側にそれぞれ突出する一対の爪部６１２，６１２が設けられている。
第２係合凸部６２０には、基部６２１の先端部にＹ方向の両側にそれぞれ突出する一対の爪部６２２，６２２が設けられている。
【００６８】
第１係合凸部６１０の一対の爪部６１２，６１２および固定部材１４４の一対の突出片１４４ｃ，１４４ｃは、少なくとも一方が弾性変形可能に構成されていて、第１係合凸部６１０を第１係合凹部６３０に挿入すると、第１係合凸部６１０の一対の爪部６１２，６１２が一対の突出片１４４ｃ，１４４ｃの間隔を通って第１係合凹部６３０に配置されるように構成されている。第１係合凸部６１０の一対の爪部６１２が第１係合凹部６３０に入り込むことにより、第１係合凸部５１０が固定部材１４４を介して第１仕切り板１４Ａと連結される。
【００６９】
第２係合凸部６２０の一対の爪部６２２，６２２および固定部材１４４の一対の突出片１４４ｃ，１４４ｃは、少なくとも一方が弾性変形可能に構成されていて、第２係合凸部６２０を第２係合凹部６４０に挿入すると、第２係合凸部６２０の爪部６２２が一対の突出片１４４ｃ，１４４ｃの間隔を通って第２係合凹部５４０に配置されるように構成されている。第２係合凸部６２０の一対の爪部６２２，６２２が第２係合凹部６４０に入り込むことにより、第２係合凸部６２０が固定部材１４４を介して第２仕切り板１４Ｂと連結される。
【００７０】
本実施形態では、第１係合凸部６１０が第１係合凹部６３０に配置され、第２係合凸部６２０が第２係合凹部６４０に配置されると、第１仕切り板１４Ａの側端部と第２仕切り板１４Ｂの側端部とが当接するとともに、支柱部１０１が連通空部１５４に配置される。
【００７１】
第５実施形態による間仕切り装置１０Ｅによれば、第４実施形態と同様の効果を奏する。
【００７２】
以上、本発明による間仕切り装置の実施形態について説明したが、本発明は上記の実施形態に限定されるものではなく、その趣旨を逸脱しない範囲で適宜変更可能である。
例えば、上記の実施形態では、支柱部１０１が配線収容什器１に固定され、仕切り板１４，１４が配線収容什器１に立設しているが、支柱部１０１が配線収容什器１以外の土台部に固定され、仕切り板１４，１４が配線収容什器１以外の土台部に立設されていてもよい。また、土台部は、支柱部１０１が固定可能で仕切りパネルが立設可能な機能のみを有する構成であってもよい。
また、上記の実施形態では支柱部１０１は筒状に形成されているが、中実の棒状に形成されていてもよい。
【００７３】
また、上記の実施形態では１つの配線収容什器１に対して２枚の仕切り板１４，１４が立設しているが１枚や３枚以上の仕切り板１４が立設していてもよい。また、隣接する仕切り板１４，１４どうしは直線状に隣接している以外に、互いの面が所定の角度に交差する向きに隣接していてもよい。
また、上記の第１実施形態および第２実施形態では上縁部連結部材２００，３００が設けられているが、設けられていなくてもよい。
また、上記の第３実施形態では下縁部連結部材４００が設けられているが設けられていなくてもよい。
また、上記の第４実施形態および第５実施形態では、溝部内連結部材５００，６００が設けられているが。設けられていなくてもよい。
また、上縁部連結部材２００，３００、下縁部連結部材４００および溝部内連結部材５００，６００は、それぞれ組み合わせて設けられていてもよい。
【符号の説明】
【００７４】
１  配線収容什器（土台部）
１４  仕切り板
１０Ａ〜１０Ｅ  間仕切り装置
１１  床面（設置面）
１０１  支柱部
１５４  連通空部
２００，３００  上縁部連結部材（第１連結部材）
４００  下縁部連結部材（第３連結部材）
５００  溝部内連結部材（第２連結部材）
【図１】
2017218868.tif 000003
【図２】
2017218868.tif 000004
【図３】
2017218868.tif 000005
【図４】
2017218868.tif 000006
【図５】
2017218868.tif 000007
【図６】
2017218868.tif 000008
【図７】
2017218868.tif 000009
【図８】
2017218868.tif 000010
【図９】
2017218868.tif 000011
【図１０】
2017218868.tif 000012
【図１１】
2017218868.tif 000013